(57)【要約】      （修正有）【課題】連結作業を簡単に、かつ少ない労力で行うことができるばかりか、デッキを強固に連結することができ、開帳場のような傾斜したステージも容易に構築することができるステージデッキの連結装置を得ること。【解決手段】平面矩形状をなす上部枠体２１と、該上部枠体２１と平行に配置された上部枠体２１と同形の下部枠体２２と、上部枠体２１および下部枠体２２の四隅を結合する短柱部材と、各短柱部材の間に配置されかつ上、下部枠体２２に両端を結合されていると共にフォークリフトのフォーク幅に対応する間隔を置いて配置された束部材３１とからなり、前記短柱部材２３にデッキの足を結合するようにしたステージデッキにおける少なくとも前記束部材３１又は前記枠体をボルト締結することによって前記デッキ同士を連結するとき使用するデッキに対する連結装置であって、該連結装置が、一方のデッキの下部枠体２２にボルト締結される支持部５１と、該支持部５１から前記下部枠体２２の下面および連結される他方のデッキ１０の下部枠体２２の下面に水平に延びかつ当該両枠体２１，２２を少なくとも下から支持する担持部５２とを備えていること。【選択図】図４
0003111929.tif 000002
【実用新案登録請求の範囲】
【請求項１】
平面矩形状をなす上部枠体と、該上部枠体と平行に配置された上部枠体と同形の下部枠体と、上部枠体および下部枠体の四隅を結合する短柱部材と、各短柱部材の間に配置されかつ上、下部枠体に両端を結合されていると共にフォークリフトのフォーク幅に対応する間隔を置いて配置された束部材とからなり、前記短柱部材にデッキの足を結合するようにしたステージデッキにおける少なくとも前記束部材又は前記枠体をボルト締結することによって前記デッキ同士を連結するとき使用するデッキに対する連結装置であって、該連結装置が、一方のデッキの下部枠体にボルト締結される支持部と、該支持部から前記下部枠体の下面および連結される他方のデッキの下部枠体の下面に水平に延びかつ当該両枠体を少なくとも下から支持する担持部とを備えていることを特徴とするステージデッキの連結装置。
【請求項２】
支持部と担持部とは、平面から見て略Ｌ字状に形成された請求項１の連結装置。
【請求項３】
担持部は、一方のデッキの下部枠体の構成部材を上、下両面からくわえる顎状部を備えた請求項１又は請求項２の連結装置。
【考案の詳細な説明】
【技術分野】
【０００１】
本考案はステージ用デッキ（以下、「ステージデッキ」という）の連結装置に関する。
【背景技術】
【０００２】
この種のデッキは、例えば、アメリカ合衆国のＳｔｅｅｌｄｅｃｋ．Ｉｎｃ．（スチールデッキ・インク)が提供するＳｔｅｅｌｄｅｃｋ（商品名）が良く知られている。
【０００３】
このステージデッキは、モジュール化されており、ステージの平面サイズを考慮してモジュールサイズを選択し、高さや耐荷重などを考慮し、ポストとなるパイプからなるパイプ足の本数を決定することで、必要なステージを構築している。さらに、デッキを基本として、パイプ足の下端に履かせる石突きユニット、ガードレールユニット、階段ユニットなどの多数のアクセサリー部品、ブレスをパイプ足に固定するクリップ、デッキを連結するカプラーなどの多数のフィッティング部品、様々な車輪機構などの多数のハンドリング部品を選択しかつ組み合わせ、様々なニーズに応じたステージも構築することができるようにしている。ステージは、デッキを所定の場所に運び、デッキを裏返してパイプ足を各デッキの四隅にあるパイプ足嵌合部に嵌め、かつパイプ足嵌合部にボルト締結することで組み立てる。
【０００４】
図８はそのデッキの一例を示している。デッキＰは、スチール材からなり、トラスを形成した側壁Ｓと、側壁の四隅に配置されかつ側壁の両端が結合されたパイプ足嵌合部Ｌとを備えている。上部には合板からなる上板Ｔを固定している。パイプ足Ｃが各パイプ足嵌合部Ｌに嵌められ、押しねじによってパイプ足Ｃに固定されている。
【０００５】
上記デッキＰの連結は図９に示す専用のカプラー１００によって行われている。カプラー１００はフラットな座面をもつ支持部１０１と、互いに９０°の角度間隔を形成して支持部１０１に設けた三つの突起１０２〜１０４と、デッキのパイプ足Ｃに取り付けるクランプ１０５とを備え、デッキＰ１のパイプ足に嵌め、クランプ１０５を閉じ、ナット１０６を締め付けることによってデッキＰに取り付けられている。デッキの連結は、図１０に示すように、３つの突起１０２〜１０４が各デッキＰ２〜Ｐ４における４つのパイプ足嵌合部Ｌの空隙コーナーを形成する内壁に当たるように、各突起１０２〜１０４を３つの隣接するデッキＰ２〜Ｐ４の各パイプ足嵌合部Ｌの空隙コーナーに嵌め、クランプ１０５にデッキＰ１のパイプ足Ｃ１を抱持するように閉じることにより行われる。従って、カプラー１００を嵌めると、デッキＰ１〜Ｐ４における各パイプ足嵌合部Ｌの外側面が当たって、デッキＰ１〜Ｐ４の位置決めが行なわれると共に、支持部１０１によってデッキＰ１〜Ｐ４の高さが規制される。
【０００６】
しかし、このカプラー１００を使用すると、カプラー１００の３つの突起１０２〜１０４が各パイプ足嵌合部Ｌのコーナーを形成する内壁に、デッキの側壁同士が当たるように、使用するカプラー１００を１本のパイプ足Ｃに仮固定してから当該カプラー１００を３つのパイプ足Ｃに沿って動かしながら、このカプラー１００の上下位置の調整および本固定を、デッキＰの高さを揃えつつ行うことによって、４台のデッキを連結しているため、複数の作業員がかなり重い各デッキＰを支え、しかも各デッキＰの下面で作業しければならないため、デッキの連結に相当な時間と労力とが必須である。
【考案の開示】
【考案が解決しようとする課題】
【０００７】
以上を鑑みて、本考案は、連結作業を簡単に、かつ少ない労力で行うことができるばかりか、デッキを強固に連結することができ、開帳場のような傾斜したステージも容易に構築することができるステージデッキの連結装置を得ること課題とする。
【課題を解決するための手段】
【０００８】
上記の課題を解決するために、本考案のステージデッキの連結装置は、平面矩形状をなす上部枠体と、該上部枠体と平行に配置された上部枠体と同形の下部枠体と、上部枠体および下部枠体の四隅を結合する短柱部材と、各短柱部材の間に配置されかつ上、下部枠体に両端を結合されていると共にフォークリフトのフォーク幅に対応する間隔を置いて配置された束部材とからなり、前記短柱部材にデッキの足を結合するようにしたステージデッキにおける少なくとも前記束部材又は前記枠体をボルト締結することによって前記デッキ同士を連結するとき使用するデッキに対する連結装置であって、該連結装置が、一方のデッキの下部枠体にボルト締結される支持部と、該支持部から前記下部枠体の下面および連結される他方のデッキの下部枠体の下面に水平に延びかつ当該両枠体を少なくとも下から支持する担持部とを備えていることを特徴とするものである。
【考案の効果】
【０００９】
本考案のステージデッキの連結装置は、平面矩形状をなす上部枠体と、該上部枠体と平行に配置された上部枠体と同形の下部枠体と、上部枠体および下部枠体の四隅を結合する短柱部材と、各短柱部材の間に配置されかつ上、下部枠体に両端を結合されていると共にフォークリフトのフォーク幅に対応する間隔を置いて配置された束部材とからなり、前記短柱部材にデッキの足を結合するようにしたステージデッキにおける少なくとも前記束部材又は前記枠体をボルト締結することによって前記デッキ同士を連結するとき使用するデッキに対する連結装置であって、該連結装置が、一方のデッキの下部枠体にボルト締結される支持部と、該支持部から前記下部枠体の下面および連結される他方のデッキの下部枠体の下面に水平に延びかつ当該両枠体を少なくとも下から支持する担持部とを備えているため、連結作業を簡単に、かつ少ない労力で行うことができるばかりか、デッキ同士を強固に連結することができ、開帳場のような傾斜したステージでも容易に構築することができる。
【００１０】
すなわち、本考案の連結装置を一方のデッキに取り付けたあと、連結するデッキをこの連結装置の担持部に載せ、デッキ同士をボルト締結するだけで、デッキの連結を行うことができる。このとき、担持部が支持部から下部枠体の下面および隣接デッキの下部枠体の下面に水平に延びているため、連結する隣接デッキを上部から担持部に載せるだけで、デッキの位置決めを行うことができ、しかも、束部材がフォークリフトのフォーク幅に対応する間隔を置いて配置されているため、デッキの移動をフォークリフトによって行うことができるので、少ない作業者でもデッキの連結を行うことができ、しかもその作業は短時間で省力的に遂行することができる。
【００１１】
さらに、構築したステージは、デッキ同士がボルト結合されるばかりか、支持部を下部枠体にボルト締結することで、連結装置自体もデッキに強固に固定され、また、支持部と一体の担持部が隣接デッキを担持して、デッキ同士を強固に結合し、かつ一体化させるため、耐荷重性能が大きくなり、連結デッキにおいては、重合する隅部のパイプ足の使用本数を減らすこともできる。
【００１２】
しかも、連結デッキ全体が傾斜配置されても、デッキ同士がボルト締結されているだけでなく、連結装置の担持部がこれを固定したデッキおよび隣接デッキを担持しているため、機械的強度が高く、開帳場のような傾斜したステージを容易に構築することができる。
【考案を実施するための最良の形態】
【００１３】
以下、図面を参照して本考案のステージデッキの連結装置の実施の形態例を説明する。添付した図にて、図１は本考案の連結装置の一実施例を示す平面図、図２は図１のＡ−Ａ矢視図、図３は図２の左側面図、図４は図１〜図３の連結装置の斜視図、図５は図１〜図４に示す連結装置が組み込まれるステージデッキの一例を示す斜視図、図６はステージデッキに対する図１〜図４に示す連結装置の使用状態の一例を説明するための模式的斜視図、図７は図１〜図４に示す連結装置を使用して構築された開帳場の一例の側面図である。
【００１４】
実施例として説明する連結装置は図５に例示したステージデッキを連結するのに使用される。
【００１５】
図５に例示したデッキ１０は、モジュール化され、モジュールサイズの異なる複数種類のものが用意されている。たとえば、平面が矩形に形成され、縦横寸法が例えば１８１８ｍｍ×１２１２ｍｍのもの、１８１８ｍｍ×９０９ｍｍのもの、１８１８ｍｍ×１８１８ｍｍのものなどが用意される。図に示すデッキ１０は、縦横寸法が１８１８ｍｍ×１２１２のもので、デッキ自体は上部枠体２１と、上部枠体２１と平行に配置された下部枠体２２と、上部枠体２１および下部枠体２２の四隅を結合する短柱部材２３とを備えている。
【００１６】
上部枠体２１は、スチール角パイプのような中空構造体からなる一対の横通し材２４および縦通し材２６によってはしご形に形成された溶接構造物からなっている。横通し材２４の間にも横通し材が配置され、両端を横通し材２４および縦通し材２６に溶接結合されている。下部枠体２２も、スチール角パイプのような中空構造体からなる一対の横通し材２７および縦通し材２９によってはしご形に形成され、横通し材２７の間に横通し材２８を配置された溶接構造物からなっている。枠体２１，２２は、間隔をおいて互いに平行に配置され、両端を枠体２１，２２の四隅に配置された短柱部材２３に溶接結合されている。短柱部材２３も、スチール角パイプからなっており、側面が枠体２１，２２の横通し材２４，２７の端部に溶接結合されている。各短柱部材２３の上端は閉じているが、下端は開放されている。短柱部材２３の間には束部材３１が配置されている。束部材３１も、スチールパイプからなっており、横通し材２４，２７，２５，２８および縦通し材２６，２９に両端を溶接結合されている。デッキ１０の短手方向に位置しかつ縦通し材２６，２９を結合している束部材３１の間隔ｗは、長手方向に位置しかつ横通し材２４，２７を結合している束部材３１の間隔よりも短いが、フォークリフトの２つのフォークの幅よりも広い間隔を形成しており、隣接する束部材３１の間隔ｆは各フォークの幅よりも広い間隔を形成している。
【００１７】
下部枠体２２の横通し材２４および縦通し材２９、それに、これらの部材２４，２９を結合している束部材３１には、隣接するデッキ１０をボルト締結するデッキ１０の連結用孔３２が設けられている。各デッキ連結用孔３２には、束部材３１の側面壁を架橋してカラーが挿入されていると共に溶接結合されている。さらに、下部枠体２２の横通し材２４および縦通し材２９には、ブレス取付用孔３４が設けられている。各ブレス取付用孔３４は、ブレスあるいは筋交い材を連結するためのもので、縦通し材２９の内部には埋め込みナットが同軸配置されている。各埋め込みナットは、横通し材２４および縦通し材２９にかん合され、かつに溶接固定されている。また、上部枠体２１には、合板からなる床パネル３６をボルト固定する部材３７が多数溶接固定されている。これらの床パネル固定部材３７は、横通し材２４，２５および縦通し材２６に溶接固定されている。
【００１８】
前述のように、デッキ１０は、モジュール化され、モジュールサイズの異なる複数種類のものが用意される、各モジュールのデッキは、サイズや耐荷重性能に応じて、横通し材２５および縦通し材２６の数が増減され、さらに、束部材３１の数や配置も異なるが、デッキの厚み、短柱部材２３のサイズ、デッキ連結用孔３２の孔径、ブレス取付用孔３４の孔径などは同じである。
【００１９】
本考案による連結装置は図５において全体を参照符号５０で示されている。この連結装置５０は、図１〜図４に良く示されているように、一方のデッキ１０の下部枠体２２にボルト締結される舌片状の支持部５１および連結される２つのデッキ１０の下部枠体２２の構成部材を下から支持する担持部５２を備えている。
【００２０】
支持部５１は、立壁部５１ａと底壁部５１ｂによる側断面略Ｌ状の板材からなっている。担持部５２は、支持部５１における立壁部５１ａの横方向の延長線上に位置する立壁状の背壁５３、この背壁５３の上端縁から前方へ水平方向に延びた上壁５４および下端縁から上壁５４と平行に前方へ長く延びた下壁５５とにより形成される略コ字状乃至顎状断面部材からなる。なお、５３ａは、前記の略コ状をなす背壁５３，上壁５４，下壁５５の外周に取付けたフランジ状の補強枠である。本考案では略コ状の３つの壁５３〜５５と補強枠５３ａとを一体成形したものでもよい。なお、担持部５２の下壁５５は、縦通し材２９の幅寸法の二倍以上の長さをもつもので、先端５７が上方に向かって折り曲げられている。この担持部５２における上下壁５４，５５が形成する開口の上下幅は、デッキ１０の縦通し材２９のそれに対応している。
【００２１】
一方、支持部５１は、その立壁５１ａの前面に、背壁５３の前面に重なる板部材５８が積層されており、この板部材５８と背壁５３とは溶接固定されている。また、前記立壁５１ａはその前面に板部材５９を具備しており、よって支持部５１は、全体として横通し材２７の背面に接触する垂直な立壁部５１ａおよび横通し材２７の下面に延びる水平な底壁部５１ｂをもつ断面Ｌ字状をなし、また、立壁部５１ａには、デッキ１０の縦通し材２９にあるブレス取付用孔３４に対応する孔径をもつ固定孔５６が設けられている。
【００２２】
上記のように、担持部５２の背壁５３には、それに当接一体化された、支持部５１の立壁部５１ａから延びた板部材５８が位置付けられて担持部５２と支持部５１が一体に形成された連結装置５０が形成される。なお、前記支持部５１の立壁部５１ａにおいては、その前面に配置した板部材５８と間隔を保持して同じ厚みの板部材５９が配置されている。両板部材５８と５９の間の立壁部５１ａには固定穴５６が形成されている。
【００２３】
この連結装置５０は、図４に例示するように、支持部５１の固定孔５６を縦通し材２９に設けられているブレス取付用孔３４に一致させると共に板部材５８，５９を縦通し材２９の側壁に当接させる一方、担持部５２の上下壁５４，５５による開口に縦通し材２９を嵌合させて縦通し材２９に仮止めされる。この連結装置５０の固定は、孔５６，３４にボルト６０を嵌め、縦通し材２９の内部にある埋め込みナットにボルト６０をねじ込むことで行われる。連結される隣接デッキ１０の縦通し材２９が担持部５２の下壁５５の上に載せられ、双方のデッキ１０にある束部材３１および縦通し材２９がボルト６１とナット（図に表れず）によって締結される。この締結により隣接デッキ１０は、ボルト６１により締結されると同時に両者の下面が連結装置５０における担持部５２の下壁５５によって支持されることとなるので、結合の機械的強度が向上する。
【００２４】
上記のように、本考案連結装置５０では、隣接するデッキ１０を結合するとき、隣接デッキ１０を上部から連結装置５０の担持部５２の下壁５５に載せるだけで、デッキ同士の位置決めを行うことができ、しかも、フォークリフトのフォークを束部材３１の間に差し込むことができるので、デッキ１０をフォークリフトによって移動することができ、従って、ステージの構築作業を少ない労力負担でかつ短時間で行うことができる。
【００２５】
図６はデッキ１０に対し、本考案連結装置５０を使用した連結組み付け状態を示しており、ここでは例えば４台のデッキ１０が結合され、連結装置５０が隣接するデッキ同士を連結している。通常、一台のデッキ１０を支えるパイプ足１１の本数は各デッキ１０の四隅に設けた４本であるから、４台のデッキ１０で１６本を必要とするが、本考案連結装置５０を使用することによって、図６に示すように９本のパイプ足１１で足りる。即ち、パイプ足１１が重複する各デッキ１０の隅部は、連結装置５０により相互に結合一体化されているので、一本の足１１を共用できるのである。さらにデッキ１０の数を増大するときには、図６に矢印６３で示す方向から別のデッキ１０（図示せず）を結合する。
【００２６】
本考案連結装置５０は、上記のように、各デッキ１０を連結することによって構築されるステージの機械的強度が高いため、図７に示すような上面が傾斜した開帳場を構築し、デッキ１０が垂直荷重の分力を受けても、連結された各デッキ１０の連結部分にズレが生じることのない、強固な傾斜ステージを得ることができる。この場合、デッキ勾配の下流側の下部枠体に連結装置５０の背壁５３を位置付けて、換言すれば、担持部５２の開口を勾配の上流側に向けて配置することが好ましく、そうすることによって、横通し材２７の分力荷重を連結装置５０の背壁５３が面接触で受けるので、デッキ１０の束部材３１を連結するボルト６１にかかる分力荷重を分散低減することができ、傾斜ステージであっても強固なステージを得ることができる。
【産業上の利用可能性】
【００２７】
本考案は以上の通りであって、平面矩形状をなす上部枠体と、該上部枠体と平行に配置された上部枠体と同形の下部枠体と、上部枠体および下部枠体の四隅を結合する短柱部材と、各短柱部材の間に配置されかつ上、下部枠体に両端を結合されていると共にフォークリフトのフォーク幅に対応する間隔を置いて配置された束部材とからなり、前記短柱部材にデッキの足を結合するようにしたステージデッキにおける少なくとも前記束部材又は前記枠体をボルト締結することによって前記デッキ同士を連結するとき使用するデッキに対する連結装置を、一方のデッキの下部枠体にボルト締結される支持部と、該支持部から前記下部枠体の下面および連結される他方のデッキの下部枠体の下面に水平に延びかつ当該両枠体を少なくとも下から支持する担持部とを備えて形成したので、モジュール化された複数台のデッキを連結してステージを構築する際のデッキ連結を、効率よくかつ高強度に実現することができる。
【図面の簡単な説明】
【００２８】
【図１】本考案のデッキ連結装置の一実施例を示す平面図。
【図２】図１のＡ−Ａ矢視図。
【図３】図２の左側面図。
【図４】図１〜図３の連結装置の斜視図
【図５】図１〜図４に示す連結装置が組み込まれるデッキの一例を示す斜視図
【図６】ステージデッキに対する図１〜図４に示す連結装置の使用状態を示す説明図。
【図７】図１〜図４に示す連結装置を使用して構築された開帳場の一例の側面図。
【図８】従来のデッキの斜視図。
【図９】従来のデッキ連結用カプラーの斜視図。
【図１０】図８のデッキと図９に示すカプラーとの係合状態を示す説明図。
【符号の説明】
【００２９】
１０        デッキ
１１        パイプ足
２１        上部枠体
２２        下部枠体
２３        短柱部材
２４，２５  横通し材
２６        縦通し材
２７，２８  横通し材
２９        縦通し材
３１        束部材
３２        デッキ連結用孔
３４        ブレス取付用孔
３６        床パネル
３７        床パネル固定部材
５０        連結装置
５１        支持部
５２        担持部
５３        背壁
５４        上壁
５５        下壁
５６        固定孔
５７        先端
５８        板部材
５９        板部材
６０        連結装置を締結するボルト
６１        デッキを締結するボルト
【図１】
0003111929.tif 000003
【図２】
0003111929.tif 000004
【図３】
0003111929.tif 000005
【図４】
0003111929.tif 000006
【図５】
0003111929.tif 000007
【図６】
0003111929.tif 000008
【図７】
0003111929.tif 000009
【図８】
0003111929.tif 000010
【図９】
0003111929.tif 000011
【図１０】
0003111929.tif 000012